(57)【要約】【課題】優れた給餌機能を有すると共に、構造が簡単で小型化された給餌器を提案する。【解決手段】給餌器（１）は、底面板（１２）と、これの両側部から立上げた側面板（１３，１３）とからなる給餌本体（１１）を備える。側面板（１３）に摺接して上下方向に移動する調整板（１５）を給餌本体（１１）の前面側に垂下形成すると共に、底面板（１２）を仕切る仕切板（１６１）の後端部を支持板（１６）に固定し、支持板（１６）を調節板（１５）の前面側に当接してこれを支持する構成となし、底面板（１２）の前面に向かい下降する傾斜部（１２ａ）と、調整板（１５）の下端（１５１）との間に形成される給餌口（１５２）のスリット間隙幅Ｄを調整できるようする。【選択図】　　　　　図１
2004016112.tif 000002
【特許請求の範囲】
【請求項１】
背面板と、底面板と、当該底面板の両側部から立上げ形成した側面板とからなる給餌本体を備え、前記側面板の上端部の前面側にブラケットを介してねじ調節具を取付け、当該ねじ調節具を連結した調整板を、前記側面板に摺接させて上下方向へ移動可能に垂下形成すると共に、前記底面板を横断仕切りする仕切板の後端部を支持板に固定し、当該支持板を、前記調整板の前面側に当接してこれを支持する構成となし、そして、前記底面板の前面に向かい下降する傾斜部と前記調整板の下端との間に形成される給餌口のスリット間隙幅を調整できるようになしたことを特徴とする給餌器。
【請求項２】
山形を中心にして左右に傾斜部を形成した底面板と、前記底面板の両側部から立上げ形成した側面板とからなる給餌本体を備え、前記側面板に摺接して上下方向に移動可能にした調整板を、給餌本体の各前面側に垂下形成すると共に、前期底面板の前面側を横断仕切りする仕切板の後端部を支持板に固定し、当該支持板を、前記調整板の前面側に当接してこれを支持する構成となし、そして、前記底面板の前面に向かい下降する傾斜部と、前記調整板の下端との間に形成される給餌口のスリット間隙幅を各々調整できるようになしたことを特徴とする給餌器。
【請求項３】
前記底面板の両側部から立上げ形成した側面板の上端部の前面側にブラケットを固定し、当該ブラケットに、雌ねじが形成されたハンドルに雄ねじ部が螺着してなるねじ調節具を取付け、当該ねじ調節具の雄ねじ部の下端部を前記調整板の上端部に連結したことを特徴とする請求項１又は２に記載の給餌器。
【請求項４】
前記底面板には、給餌本体の前面に向かい下降する傾斜部に堰部を立上げ形成すると共に、当該堰部の前面側には給水受部を連続形成してなることを特徴とする請求項１乃至３に記載の給餌器。
【請求項５】
前記底面板の給水受部に、側面板の外側から給水管の給水口を臨ませたことを特徴とする請求項４に記載の給餌器。
【発明の詳細な説明】
【０００１】
【発明の属する技術分野】
本発明は家畜の給餌器に係り、特に、優れた給餌機能を有すると共に、構造が簡単で小型化された給餌器に関する。
【０００２】
【従来の技術】
従来、家畜の給餌器として種々の形態のものが知られ、使用されている。例えば、図１１に示すように、底面板７２より両側面板７３，７３及び背面板７４を立上げ形成してなる給餌本体７１内に、傾斜板７５′の下端部を垂下させて背面板７４との間に狭窄部７５″を形成して漏斗部７５となし、上記狭窄部７５″の下方に給餌口７６を形成すると共に、この給餌口７６に対向して傾斜面を形成して餌案内板７７となし、更に、上記給餌本体７１の上部から懸垂杆７８を介して調整板７９を吊下し、この調整板７９を狭窄部７５″の内壁面に上下方向に摺接自在に形成して、上記調整板７９により給餌口７６の開口度を調節するようにしたシングルタイプの給餌器７０が知られている。
【０００３】
また、図１２に示すように、底面板８２より両側面板８３，８３を立上げ形成してなる給餌本体８１内に、対向配設した傾斜板８５′，８５′の下端部を共に垂下させて狭窄部８５″が形成された漏斗部８５となし、そして、上記底面板８２の中央から逆Ｖ字状の餌案内板８７を立上げ形成し、上記狭窄部８５″の下方で上記餌案内板８７を中心にして、その両側に給餌口８６，８６が形成されたダブルタイプの給餌器８０が知られている。当該給餌器８０には、給餌本体８１の上部から懸垂杆８８を介して調整板８９が吊下され、この調整板８９を狭窄部８５″の内壁面に上下方向に摺接させて、給餌口８６，８６の開口度を調整するようにしている。
【０００４】
上記給餌器７０又は給餌器８０において、給餌口７６，８６の開口度を調整するため、給餌本体７１，８１の上部に架け渡した取付バー７８′，８８′に、雌ねじが形成された懸垂杆７８，８８を吊下し、この懸垂杆７８，８８に螺合している雄ねじ７８ａ，８８ａの上端部にハンドル７８ｂ，８８ｂを固定すると共に、下端部を調整板７９，８９に連結して、上記ハンドル７８ｂ，８８ｂを矢印方向に回転させることにより、調整板７９，８９を狭窄部７５″，８５″の内壁面に摺接させて上下方向に移動させるようになっている。また、上記雌ねじを形成した懸垂杆７８，８８を垂直方向に安定保持するために、懸垂杆７８，８８を、狭窄部７５″，８５″の近辺まで垂下延長させてある。
【０００５】
【発明が解決しようとする課題】
上述した従来技術の給餌器７０又は給餌器８０は何れも大型であると共に、給餌口７６，８６の開口度を調節する機構が複雑であり、且つ、調整板７９，８９を円滑に調整し難いという問題がある。即ち、給餌本体７１，８１内に緩斜勾配にした漏斗部７５，８５を有するので、給餌器７０及び給餌器８０の奥行が大きくなって大型化すると共に、給餌本体７１，８１の上部に取付バー７８′，８８′が架け渡し形成されるので、構造が複雑化する。さらに、給餌本体７１，８１内に取付バー７８′，８８′を架け渡し、懸垂杆７８，８８を垂下させ、その懸垂杆７８，８８の下端部に調整板７９，８９を連結するため、組立てが面倒であり、製造工数が掛かるという問題がある。
また、長い懸垂杆７８，８８が垂下形成されて、この懸垂杆７８，８８の下端部で雌ねじと雄ねじ部７８ａ，８８ａとの螺合部分に餌Ａが入り込んで詰り易くなるので、ハンドル７８ｂ，８８ｂの回転操作が困難になり、調整板７９，８９を矢印の上下方向へ移動させ難くなるという問題がある。さらに、調整板７９，８９をその中央部のみで支持するため、調整板７９，８９が左右どちらかに傾き易く、餌Ａの供給量が左右でバランスがとれないという問題もある。
【０００６】
本発明は、かかる課題を解決すべく為されたものてあり、その目的とするところは、給餌本体の底面板の片面側又は両面側に給餌受部を形成すると共に、給餌本体の前面側で上下にスライド移動する調整板の外壁面を、給餌受部の仕切板を固定した支持板で支持するようにして、この調整板の操作により、給餌受部内へ餌を供給するための給餌口のスリット間隙幅を調整できるようにした給餌器であって、給餌機能が優れているうえに、構造が簡単で小型化された給餌器を提供せんとするものである。
【０００７】
【課題を解決するための手段】
本発明は、上記課題を解決するためのものであって、その要旨とするところは、背面板と底面板と当該底面板の両側部から立上げ形成した側面板とからなる給餌本体を備え、前記側面板の上端部の前面側にブラケットを介してねじ調節具を取付け、当該ねじ調節具を連結した調整板を、前記側面板に摺接させて上下方向へ移動可能に垂下形成すると共に、前記底面板を横断仕切りする仕切板の後端部を支持板に固定し、当該支持板を、前記調整板の前面側に当接してこれを支持する構成となし、そして、前記底面板の前面に向かい下降する傾斜部と前記調整板の下端との間に形成される給餌口のスリット間隙幅を調整できるようになしたことを特徴とする給餌器である。
【０００８】
また、本発明は、山形を中心にして左右に傾斜部を形成した底面板と、前記底面板の両側部から立上げ形成した側面板とからなる給餌本体を備え、前記側面板に摺接して上下方向に移動可能にした調整板を、給餌本体の各前面側に垂下形成すると共に、底面板の前面側を横断仕切りする仕切板の後端部を支持板に固定し、当該支持板を、前記調整板の前面側に当接してこれを支持する構成となし、そして、前記底面板の前面に向かい下降する傾斜部と、前記調整板の下端との間に形成される給餌口のスリット間隙幅を各々調節できるようになしたことを特徴とする給餌器である。
【０００９】
【発明の実施の形態】
以下、本発明の好適な実施形態について図面に基づき具体的に説明する。
図１は本発明の給餌器の一実施例を示す透視斜視図であり、図２は本発明の給餌器の一実施例を示す側断面図であり、図３は本発明の給餌器の他実施例を示す透視斜視図であり、図４は本発明の給餌器の他実施例を示す側断面図であり、図５は本発明の給餌器の一実施例の使用状態を示す側断面図であり、図６は本発明の給餌器の他実施例の使用状態を示す側断面図であり、図７は本発明の給餌器の他実施例を示す透視斜視図であり、図８は本発明の給餌器の他実施例を示す側断面図であり、図９は本発明の給餌器の他実施例を示す透視斜視図であり、図１０は本発明の給餌器の他実施例を示す側断面図である。
【００１０】
本発明は、背面板１４と、底面板１２と、この底面板１２の両側部から立上げ形成した側面板１３，１３とからなる給餌本体１１を備え、上記側面板１３の上端部の前面側にブラケット１７を介してねじ調節具１８を取付け、このねじ調節具１８を連結した調整板１５を、上記側面板１３に摺接させて上下方向へ移動可能に垂下形成すると共に、上記底面板１２を横断仕切りする仕切板１６１の後端部を支持板１６に固定し、この支持板１６を、上記調整板１５の前面側に当接してこれを支持する構成となし、そして、上記底面板１２の前面に向かい下降する傾斜部１２ａと上記調整板１５の下端１５１との間に形成される給餌口１５２のスリット間隙幅Ｄを調節できるようになしたことを特徴とするものである。
【００１１】
また、山形を中心にして左右対称位置に傾斜部１２ａ，１２ａを形成した底面板１２と、上記底面板１２の両側部から立上げ形成した側面板１３，１３とからなる給餌本体１１を備え、上記側面板１３に摺接して上下方向に移動可能にした調整板１５を、給餌本体１１の各前面側に対称的に垂下形成すると共に、各傾斜部１２ａ，１２ａの前面側を横断仕切りする仕切板１６１の後端部を支持板１６に固定し、この支持板１６を、上記調整板１５の前面側に当接してこれを支持する構成となし、そして、上記底面板１２の前面に向かい下降する傾斜部１２ａと、上記調整板１５の下端１５１との間に形成される給餌口１５２のスリット間隙幅Ｄを各々調整できるようになしたことを特徴とするものである。
【００１２】
そして、上記底面板１２の両側部から立上げ形成した側面板１３の上端部の前面側にブラケット１７を固定し、当該ブラケット１７に、雌ねじが形成されたハンドル１８１に雄ねじ部１８２が螺着してなるねじ調節具１８を取付け、このねじ調節具１８の雄ねじ部１８２の下端部が調整板１５の上端部に連結されていることを特徴とするものである。
【００１３】
更に、上記底面板１２には、給餌本体１１の前面に向かい下降する傾斜部１２ａに堰部１２ｃを立上げ形成すると共に、この堰部１２ｃの前面側には給水受皿１２ｄを連続形成してなり、また、上記給水受部１２ｄに、側面板１３の外側から給水管１９の給水口１９ａを臨ませてなることを特徴とするものである。
【００１４】
本発明により、側面板１３の上端部の前面側にねじ調節具１８が取付けられ、このねじ調節具１８の下端が調整板１５の上端で枢着固定されているので、ねじ調節具１８のねじ螺合部に餌Ａが入り込んで詰り、ねじ調節具１８のハンドル操作が困難になる等のトラブルが解消されるものである。
また、給餌本体１１の底面板１２の片面側又は両面側に給餌受部１２ｂを形成すると共に、当該給餌受部１２ｂを区切る仕切板１６１を固定した支持板１６により、給餌本体１１の前面側で上下移動する調整板１５を外側から支持できるようにしたこと、及び、上記調整板１５の操作により、給餌受部１２ｂへ餌Ａを供給するための給餌口１５２のスリット間隙幅Ｄを簡単に調節できるようにしたので、優れた給餌性能が発揮されるという作用効果が得られる。
さらに、調整板１５をねじ調節具１８，１８を介してその両端部で支持するため、調整板１５が左右どちらかに傾くこともなく、餌Ａを左右で偏ることなく均一に供給することができる。
【００１５】
また、給餌本体１１の前面側に配設される調整板１５は、フラットな形状であって後面側に僅かに傾斜した構造であるので、従来と比較して、給餌本体１１の奥行寸法を相当程度小さくすることができ、従って、構造が簡単で給餌器１全体の容積を小型化することができる。
さらに、給餌本体１１内に取付バーを架け渡し、懸垂杆を垂下させ、その懸垂杆の下端部に調整板を連結するというような工程はないから、組立てが容易であり、製造工数も掛からない。
そして、片側のシングルタイプの給餌器１と、両側のダブルタイプの給餌器３１とを使い分けて利用することができるので便利である。
【００１６】
【実施例１】
本発明の一実施例のシングルタイプの給餌器１は、図１、図２及び図５に示すように、背面板１４と、底面板１２と、この底面板１２の両側部から立上げ形成した側面板１３，１３とに囲まれてなる給餌本体１１の内側に、上記側面板１３，１３の上端部の前面側でブラケット１７を介して取付けられるねじ調節具１８と、このねじ調節具１８に連結されて、上記側面板１３，１３の内壁面を上下方向へ摺接移動可能に形成される調整板１５と、上記底面板１２の仕切板１６１の後端部に固定される支持板１６等が組込まれて構成されている。
【００１７】
そして、上記ねじ調節具１８は、図示したように、側面板１３，１３の上端部の前面側でブラケット１７を介して取付けられ、雌ねじが形成されたハンドル１８１と雄ねじ部１８２とからなっている。また、上記ハンドル１８１の雌ねじに螺着している雄ねじ部１８２の下端が、上記調整板１５の上端に枢着固定されていて、上記ハンドル１８１の手回し回転により、調整板１５が、側面板１３，１３の内壁面を摺接しながら上下矢印方向に移動するようになっている。また、側面板１３，１３の内壁面を摺接しながら移動する調整板１５は、その前面側が上記支持板１６に当接されて、急傾斜勾配となるように支持される。
【００１８】
一方、上記底面板１２には、その前面に向かい下降する傾斜部１２ａと、この傾斜部１２ａの先に立上げ形成される堰部１２ｃと、当該堰部１２ｃに続く給水受部１２ｄ等が一体に形成されている。そして、底面板１２の傾斜部１２ａと、ねじ調節具１８により上下方向に移動する調整板１５の下端１５１との間に、給餌口１５２のスリット間隙幅Ｄが調整自在に形成されるものである。
【００１９】
なお、上記調整板１５を支持する支持板１６の前面側には、所要枚数の仕切板１６１を取付けて、当該仕切板１６１の先端が給水受部１２ｄの前端立上げ片の内面に当接するように設けられる。そして、側面板１３，１３の外側から給水受部１２ｄに臨ませて給水管１９，１９の給水口１９ａ，１９ａを配設してあるから、豚等の家畜は、給餌受部１２ｂに供給される餌Ａを食べながら、給水受部１２ｄに供給される水Ｂを飲むことができ、効率的な給餌をすることができるようになっている。
【００２０】
【実施例２】
本発明の他の実施例のダブルタイプの給餌器３１は、図３、図４及び図６に示すように、底面板１２を山形に形成し、その山形を中心にして左右対称位置に配設した傾斜部１２ａ，１２ａと、上記底面板１２の両側部から立上げ形成した側面板１３，１３とに囲まれた給餌本体１１の内側に、上記側面板１３，１３の上端部の両前面側で、ブラケット１７を介して取付けられるねじ調節具１８，１８，１８，１８と、このねじ調節具１８に連結されて、上記側面板１３，１３の内壁面を上下方向へ摺接移動可能に形成される調整板１５，１５と、上記底面板１２の仕切板１６１の後端部に固定される支持板１６，１６等が組込まれて構成されている。
【００２１】
そして、上記ねじ調節具１８は何れも、図示したように、側面板１３，１３の上端部の両前面側でブラケット１７を介して取付けられ、雌ねじが形成されているハンドル１８１に雄ねじ部１８２が螺着しているので、ハンドル１８１の矢印方向への回転により雄ねじ部１８２を上げ下げできるようになっている。また、ねじ調節具１８の雄ねじ部１８２の下端が、上記調整板１５の上端に枢着固定されており、上記ハンドル１８１の手回し回転により、調整板１５が、側面板１３，１３の内壁面を摺接しながら上下矢印方向に移動するようになっている。また、側面板１３，１３の内壁面を摺接しながら移動する調整板１５は、その前面側が上記支持板１６に当接されて、急な傾斜勾配となるように支持される。
【００２２】
一方、山形を中心にして左右対称に形成された、前面に向かい下降する傾斜部１２ａ，１２ａと、この傾斜部１２ａ，１２ａの先に立上げ形成される堰部１２ｃ，１２ｃと、当該堰部１２ｃ，１２ｃに続く給水受部１２ｄ，１２ｄ等が一体に形成されている。そして、各傾斜部１２ａ，１２ａと、ねじ調節具１８により上下方向に移動する各調整板１５の下端１５１との間に、給餌口１５２のスリット間隙幅Ｄが調整自在に形成されるものである。
【００２３】
なお、上記調整板１５，１５を支持する支持板１６の前面側には、所要枚数の仕切板１６１を取付けて、当該仕切板１６１の先端が給水受部１２ｄ，１２ｄの前端立上げ片の内面に当接するように設けられる。そして、側面板１３，１３の外側から給水受部１２ｄに臨ませて給水管１９，１９の給水口１９ａ，１９ａを配設してあるから、豚等の家畜は、給餌受部１２ｂに供給される餌Ａを食べながら、給水受部１２ｄに供給される水Ｂを飲むことができ、効率的な給餌をすることができるようになっている。
【００２４】
本発明の給餌器１，３１によれば、調整板の上端にねじ調節具を枢着固定しているので、ねじの螺着部位に餌料が詰って、ねじ調節具のハンドル操作が困難になる等のトラブルが解消されると共に、ねじ調節具の円滑操作により、給餌口のスリット間隙幅を簡単に調整することができる。また、底面板の片面側又は両面側に給餌受部を形成すると共に、当該給餌受部を区切る仕切板を固定した支持板により、給餌本体の前面側で上下移動する調整板をその前面側から支持できるようにしたこと等、構造が簡単にして優れた給餌機能を発揮するものである。
【００２５】
また、給餌本体の前面側に配設される調整板は、フラットな形状であって後面側に僅かに傾斜した構造であるので、従来と比較して、給餌本体の奥行寸法を相当程度小さくすることができ、従って、構造が簡単で給餌器全体の容積を小型化することができる。さらに、給餌本体内に取付バーを架け渡し、懸垂杆を垂下させ、その懸垂杆の下端部に調整板を連結するというような工程は必要ないから、組立てが容易であり、製造工数も掛からない。
そして、構造が簡単で小型であると共に、シングルタイプの給餌器とダブルタイプの給餌器とを使い分けて利用することができるので便利である。
【００２６】
【実施例３】
本発明の他の実施例のシングルタイプの給餌器４１は、図７及び図８に示すように、調整板１５の構成を除けば、シングルタイプの給餌器１と略同様の構成である。給餌器４１における調整板１５は、その前面側が支持板１６に当接され、略垂直方向となるように支持されている。
【００２７】
【実施例４】
本発明の他の実施例のダブルタイプの給餌器５１は、図９及び図１０に示すように、調整板１５の構成を除けば、ダブルタイプの給餌器３１と略同様の構成である。給餌器５１における調整板１５は、その前面側が支持板１６に当接され、略垂直方向となるように支持されている。
【００２８】
本発明の給餌器４１，５１によれば、調整板１５を略垂直方向に支持することによって、調整板１５と背面板１４との間隔を上端から下端に至るまで略一定としたので、上記給餌器１，３１による作用、効果に加えて、給餌本体１１内で餌Ａが凝集する、いわゆるブリッジが発生することを略完全に防止することができるという効果を奏する。
【図面の簡単な説明】
【図１】本発明の給餌器の一実施例を示す透視斜視図である。
【図２】本発明の給餌器の一実施例を示す側断面図である。
【図３】本発明の給餌器の他実施例を示す透視斜視図である。
【図４】本発明の給餌器の他実施例を示す側断面図である。
【図５】本発明の給餌器の一実施例の使用状態を示す側断面図である。
【図６】本発明の給餌器の他実施例の使用状態を示す側断面図である。
【図７】本発明の給餌器の他実施例を示す透視斜視図である。
【図８】本発明の給餌器の他実施例を示す側断面図である。
【図９】本発明の給餌器の他実施例を示す透視斜視図である。
【図１０】本発明の給餌器の他実施例を示す側断面図である。
【図１１】従来の給餌器の一例を示す透視斜視図である。
【図１２】従来の給餌器の他例を示す透視斜視図である。
【符号の説明】
１　　　　給餌器
１１　　　給餌本体
１２　　　底面板
１２ａ　　傾斜部
１２ｂ　　給餌受部
１２ｃ　　堰部
１２ｄ　　給水受部
１３　　　側面板
１４　　　背面板
１５　　　調整板
１５１　　下端
１５２　　給餌口
１６　　　支持板
１６１　　仕切板
１７　　　ブラケット
１８　　　ねじ調節具
１８１　　ハンドル
１８２　　雄ねじ部
１９　　　給水管
１９ａ　　給水口
３１　　　給餌器
４１　　　給餌器
５１　　　給餌器
Ａ　　　　餌
Ｂ　　　　水
Ｄ　　　　スリット間隙幅
【図１】
2004016112.tif 000003
【図２】
2004016112.tif 000004
【図３】
2004016112.tif 000005
【図４】
2004016112.tif 000006
【図５】
2004016112.tif 000007
【図６】
2004016112.tif 000008
【図７】
2004016112.tif 000009
【図８】
2004016112.tif 000010
【図９】
2004016112.tif 000011
【図１０】
2004016112.tif 000012
【図１１】
2004016112.tif 000013
【図１２】
2004016112.tif 000014